(57)【要約】【課題】ガラスと枠部との間の高い水密性を備えた建具を提供する。【解決手段】複層ガラスの端部を収容し、当該複層ガラスを取り付けるための枠部と、前記複層ガラスと前記枠部との間に介装され、前記複層ガラスと前記枠部との間を水密にするための水密材と、前記水密材と間隔を隔てて前記複層ガラスの端部に設けられ、当該端部を保護するための端部保護材と、を有する。【選択図】図４
2008163610.tif 000002
【特許請求の範囲】
【請求項１】
複層ガラスの端部を収容し、当該複層ガラスを取り付けるための枠部と、
前記複層ガラスと前記枠部との間に介装され、前記複層ガラスと前記枠部との間を水密にするための水密材と、
前記水密材と間隔を隔てて前記複層ガラスの端部に設けられ、当該端部を保護するための端部保護材と、
を有することを特徴とする建具。
【請求項２】
請求項１に記載の建具であって、
前記枠部は、枠部本体と、前記枠部本体とともに前記複層ガラスを保持するための押縁と、を有し、
前記複層ガラスは、前記押縁と前記枠部本体との間に前記水密材を介して挟持されていることを特徴とする建具。
【請求項３】
請求項１または請求項２に記載の建具であって、
前記端部保護材は、前記複層ガラスの前記端部に沿う形状をなす保護材本体と、
前記保護材本体の内側にて、前記複層ガラスと対向する位置に設けられて前記複層ガラスに当接される当接部とを有し、
前記当接部は、前記保護材本体より軟質の部材にて形成されていることを特徴とする建具。
【請求項４】
請求項３に記載の建具であって、
前記当接部は、前記保護材本体の内側に向かって突出された突起部を有し、
前記端部保護材は、前記複層ガラスの端部に装着されて生じる前記突起部のたわみ変形による弾性力により、前記複層ガラスに当接されることを特徴とする建具。
【請求項５】
請求項１乃至請求項４のいずれかに記載の建具であって、
前記端部保護材は、前記複層ガラスの全周に亘って設けられており、
前記複層ガラスが取り付けられた際に下方に位置する前記端部保護材には、水抜き穴が設けられていることを特徴とする建具。
【発明の詳細な説明】
【技術分野】
【０００１】
本発明は、ガラスを備えた建具に関する。
【背景技術】
【０００２】
ガラスを備えた建具としては、軟質合成樹脂製の部材の内部に非伸縮性テープを埋め込ませた帯状部材を、ガラスの周方向に沿って、ガラスの表裏面と端面とに亘って両面接着テープ等にて貼り付けたガラスの端部を、サッシの溝にはめ、ガラスとサッシとの間にガラス押さえ部材を押し込んでガラスを固定した建具が知られている。このような建具は、たとえば、帯状部材がガラスの表裏面方向に突出する突条を、また、ガラス押さえ部材がガラス側に突出するフィン状突条を有しており、ガラス押さえ部材を押し込んだ際に、帯状部材の突条とガラス押さえ部材のフィン状突条とが引っ掛かり、ガラス押さえ部材の浮き上がり乃至脱落を防止するように構成されている。また、帯状部材により、ガラス端部の欠損が防止されるように構成されている（特許文献１参照）。
【特許文献１】実公平５−４４４７４号公報
【発明の開示】
【発明が解決しようとする課題】
【０００３】
上記従来の建具にあっては、ガラス押さえ部材により、ガラスとサッシ等の枠部との間が水密に保たれることが望ましい。しかしながら、上記ガラス押さえ部材は、ガラス端部を保護する機能も有する帯状部材に引っ掛かって脱落等が防止されるように構成されているため、ガラス押さえ部材は帯状部材と必ず接触する。また、ガラス押さえ部材は、ガラスと枠部との間に押し込むため、枠部内にてガラス押さえ部材と帯状部材とがどのような状態で接触しているかを確認することはできない。このため、ガラス押さえ部材が、誤って帯状部材に乗り上げていたり、押されていたりすると、ガラスとガラス押さえ部材とが適切な接触状態とならず、水密状態が保たれない畏れがあるという課題があった。
【０００４】
本発明は、かかる課題に鑑みてなされたものであり、その目的とするところは、ガラスと枠部との間の高い水密性を備え、さらにガラス端部の欠損が防止されるようにした建具を提供することにある。
【課題を解決するための手段】
【０００５】
かかる目的を達成するために本発明の建具は、複層ガラスの端部を収容し、当該複層ガラスを取り付けるための枠部と、前記複層ガラスと前記枠部との間に介装され、前記複層ガラスと前記枠部との間を水密にするための水密材と、前記水密材と間隔を隔てて前記複層ガラスの端部に設けられ、当該端部を保護するための端部保護材と、を有することを特徴とする建具である。  
このような建具によれば、複層ガラスの端部が保護されるので、複層ガラスが損傷することを防止することが可能である。また、端部保護材は水密材と間隔が隔てられているので、水密材と端部保護材とが重なって、水密材と複層ガラスとの接触面積が小さくなったり、水密材が端部保護材により複層ガラスから浮き上がることはないので、良好な水密状態を保つことが可能である。
【０００６】
かかる建具であって、前記枠部は、枠部本体と、前記枠部本体とともに前記複層ガラスを保持するための押縁と、を有し、前記複層ガラスは、前記押縁と前記枠部本体との間に前記水密材を介して挟持されていることが望ましい。  
このような建具によれば、枠部本体と押縁との間に挟持される前の状態における複層ガラスの端部を保護して、欠損等が生じることを防止することが可能である。たとえば、複層ガラスが躯体に固定された枠部に取り付けられる場合には、施工現場にて直接取り付けられることになるが、上記建具によれば、端部保護材を取り付けた状態で複層ガラスを搬送することが可能なので、搬送時においても複層ガラスの端部を保護することが可能である。また、現場に搬入された際には、端部保護材が取り付けられているので、枠部にそのまま取り付けることができるため現場での作業が容易である。
【０００７】
かかる建具であって、前記端部保護材は、前記複層ガラスの前記端部に沿う形状をなす保護材本体と、前記保護材本体の内側にて、前記複層ガラスと対向する位置に設けられた前記複層ガラスの当接部とを有し、前記当接部は、前記保護材本体より軟質の部材にて形成されていることが望ましい。  
このような建具によれば、端部保護材は、複層ガラスの端部に沿う形状をなす保護材本体の内側の複層ガラスと対向する位置に、保護材本体より軟質な当接部を備えているので、軟質な部材にて複層ガラスに当接され、端部保護材を単独で複層ガラスに取り付けることが可能である。このため、たとえば、端部保護材を複層ガラスに取り付けるために接着剤等を必要としないので、容易に取り付けることが可能である。
【０００８】
かかる建具であって、前記当接部は、前記保護材本体の内側に向かって突出された突起部を有し、前記端部保護材は、前記複層ガラスの端部に装着されて生じる前記突起部のたわみ変形による弾性力により、前記複層ガラスに当接されることが望ましい。  
このような建具によれば、複層ガラスには、当該複層ガラスが装着された際に生じる突起部のたわみ変形による弾性力により端部保護材が取り付けられるので、端部保護材が複層ガラスから外れることを防止することが可能である。
【０００９】
かかる建具であって、前記端部保護材は、前記複層ガラスの全周に亘って設けられており、前記複層ガラスが取り付けられた際に下方に位置する前記端部保護材には、水抜き穴が設けられていることが望ましい。  
このような建具によれば、複層ガラスと端部保護材との間に水等が発生しても水抜き穴から排出することが可能である。
【発明の効果】
【００１０】
本発明によれば、ガラスと枠部との間の高い水密性を備え、さらにガラス端部の欠損が防止されるようにした建具を提供することにある。
【発明を実施するための最良の形態】
【００１１】
以下、本発明の一実施形態に係る建具について図面を参照して説明する。  
本実施形態では、建物の開口を部分的に閉塞し、図１に示すようなガラスが嵌め付けられたＦＩＸ窓１０と、ＦＩＸ窓１０にて閉塞されていない部分を閉塞可能に設けられた移動可能な障子３とを備えた建具１を例に挙げて説明する。
【００１２】
本実施形態のガラスは、複数のガラス板の周縁部間にスペーサや封着剤を介在させて、互いに間隔を隔てて対面させた複層ガラスである。以下の説明においては、建具を室外側から見たときに上下となる方向を上下方向、左右となる方向を左右方向または見付け方向、奥行き方向を見込み方向として示す。
【００１３】
本実施形態の建具１は、図１乃至図３に示すように、例えば室内外を仕切る壁の開口に設けられた矩形状の枠体１１と、枠体１１に取り付けられて見付け方向に移動可能な障子３と、枠体に取り付けられてＦＩＸ窓１０を形成するガラスユニット５と、枠体１１とともにガラスユニット５を保持するための縦骨１７と、を有している。
【００１４】
本実施形態では、枠体１１を構成する上枠１２、下枠１３、左右の縦枠１４、１５のうちの上枠１２、下枠１３、右側に位置する縦枠（以下、右縦枠という）１５、と、上枠１２と下枠１３との間に設けられた縦骨１７と、にガラスユニット５が保持されてＦＩＸ窓１０が構成されている。本実施形態では、上枠１２、下枠１３、右縦枠１５および縦骨１７が枠部に相当する。そして、ＦＩＸ窓１０は、枠体１１の見込み方向においてほぼ中央より室外側の領域に設けられており、枠体１１の見込み方向においてほぼ中央より室内側の領域には障子３が移動可能に設けられている。
【００１５】
ＦＩＸ窓１０は、上枠１２、下枠１３、右縦枠１５、および、縦骨１７にガラスユニット５が水密材としてのシール材１６を介して取り付けられて構成されている。
【００１６】
本実施形態では、ガラスユニット５の端部５ａは、上枠１２、下枠１３、右縦枠１５および縦骨１７のいずれにも固定されるが、上枠１２、下枠１３、右縦枠１５、縦骨１７にガラスユニット５が固定された状態は、概ね同じであるため、以下の説明では、下枠１３にガラスユニット５が取り付けられた状態を例に挙げて説明する。
【００１７】
図３に示すように、下枠１３には、見込み方向におけるほぼ中央に、開口の中央方向に向かって突出され、その開口を閉塞するように設けられるガラスユニット５の端部５ａと対面するガラス対面部位１３ａが、全長に亘って設けられている。
【００１８】
また、下枠１３には、ガラス対面部位１３ａと見込み方向室外側の対向する位置に、ガラス対面部位１３ａと見込み方向に間隔を隔てて、ガラスユニット５を押さえるための押縁２０が着脱自在に設けられている。ガラス対面部位１３ａと押縁２０とには、互いに対向する面側にシール材１６が設けられている。そして、押縁２０が取り外された状態にてガラスユニット５が配置され、その後押縁２０が取り付けられる。押縁２０が取り付けられることにより、ガラスユニット５の室内側の面にガラス対面部位１３ａに設けられたシール材１６が、また、室外側の面に押縁２０に設けられたシール材１６が、それぞれ押圧される。本実施形態においては、各押縁が取り外された上枠１２、下枠１３、右縦枠１５、および、縦骨１７が枠部本体に相当する。
【００１９】
ガラスユニット５は、複層ガラスとしてのガラス本体６とガラス本体６の端部を保護するための端部保護材７とを有している。本実施形態では、図２に示すように、矩形状のガラス本体６の周縁部に全周に亘って端部保護材７が設けられている。本実施形態では、ガラス本体６の各辺の端部にそれぞれ１本ずつ、合計４本の端部保護材７が取り付けられている。ガラス本体６のコーナー部では、隣接する端部保護材７の端部がそれぞれ４５°に切断され、切断された端部同士が突き合わされている。４本の端部保護材７はほぼ同形状をなしているが、ＦＩＸ窓１０としてガラスユニット５が取り付けられた際に下側に配置される端部保護材７には、水抜き穴７ａが形成されている。以下の説明では、下側に配置される端部保護材７を例に挙げて説明する。
【００２０】
ガラス本体６は、２枚のガラス板６ａの周縁部間にスペーサ６ｂや封着剤（不図示）を介在させて互いに間隔を隔てて対面させて一体に形成された複層ガラスである。
【００２１】
端部保護材７は、断面形状が図４に示すように、ガラス本体６の断面形状における端部に沿う形状、すなわち断面がほぼコ字状をなしている。具体的には、たとえば、ガラス本体６の下端部６ｃから約５ｍｍの領域を、ガラス本体６の表裏面にて対向する一対の側壁部７ｂおよび側壁部７ｂの下端側を連結する連結部７ｃとからなる保護材本体７ｅと、側壁部７ｂの内側に形成されたガラス本体６に当接される当接部７ｄと、を有している。
【００２２】
保護材本体７ｅは、同一の材料、たとえば硬質樹脂にて断面がコ字状になるように一体に形成されており、さらに、一対の側壁部７ｂの対向する内側には、保護材本体７ｅより軟らかい軟質樹脂の当接部７ｄが一体成形されている。また、連結部７ｃには、ガラス本体６に沿う方向に適宜間隔を隔てて水抜き穴７ａが複数設けられている。水抜き穴７ａは、ガラス本体６の上側および左右方向の両側に設けられる端部保護材７に設けられていても良い。
【００２３】
当接部７ｄは、一対の側壁部７ｂの内側であって、上下方向におけるほぼ半分より上側に形成されており、側壁部７ｂに沿って設けられた板状部７ｆと、板状部７ｆの下端部および上下方向における中間部から下方内側に向かって、側壁部７ｂとほぼ４５°の角度をなすように突設されたひれ状の突起部７ｇと、を有している。一対の側壁部７ｂに設けられた板状部７ｆ間の間隔は、端部保護材７が取り付けられるガラス本体６の厚さより広く形成されており、突起部７ｇ間の間隔はガラス本体６の厚さより狭く形成されている。
【００２４】
そして、ガラス本体６に、端部保護材７を取り付ける際には、コ字状をなす端部保護材７の開放された端側からガラス本体６の下端部６ｃを一対の側壁部７ｂの突起部７ｇ間に向かって挿入する。このとき、端部保護材７の内側に設けられ、ガラス本体６の幅より狭い間隔で突出されている軟質樹脂製の突起部７ｇは、ガラス本体６の表面に当接されて側壁部７ｂ側に押圧されることにより、突起部７ｇにたわみ変形が生じる。ガラス本体６の下端部６ｃが端部保護材７の連結部７ｃに当接された際にも、突起部７ｇがたわみ変形している状態は維持される。このため、端部保護材７は、突起部７ｇのたわみ変形による弾性力によりガラス本体６を挟持するので、接着剤等を用いることなくガラス本体６に取り付けることが可能である。
【００２５】
端部保護材７が取り付けられたガラスユニット５は、躯体に固定された枠体１１に取り付けられるため、現場での取り付け作業となる。
【００２６】
そして、ガラスユニット５の取り付けは、まず、上枠１２、下枠１３、右縦枠１５、および、縦骨１７の各押縁２０が取り外された状態にて、下枠１３に所謂セッティングブロック１８が適宜配置される。次に、配置されたセッティングブロック１８上に、水抜き穴７ａが設けられている側を下方に向けてガラスユニット５が載置される。このとき、ガラスユニット５の室内側の面が各ガラス対面部位１３ａに設けられたシール材１６と当接するようにガラスユニット５を載置する。その後、４つの押縁２０を、各々上枠１２、下枠１３、右縦枠１５、および、縦骨１７に嵌め付けることによりガラスユニット５を上枠１２、下枠１３、右縦枠１５、および、縦骨１７に固定する。このとき、ガラスユニット５の室内側および室外側の面には、各ガラス対面部位１３ａと各押縁２０とに設けられたシール材１６が押圧されて、ガラスユニット５と上枠１２、下枠１３、右縦枠１５、および、縦骨１７との間が水密となる。
【００２７】
ガラスユニット５が上枠１２、下枠１３、右縦枠１５、および、縦骨１７に取り付けられたＦＩＸ窓１０の状態では、ガラスユニット５の端部保護材７と、ガラス対面部位１３ａおよびに押縁２０に設けられたシール材１６とは、接触することなく、図３に示すように互いに間隔を隔てて配置されている。すなわち、端部保護材７とシール材１６とは干渉することなくＦＩＸ窓１０に設けられている。
【００２８】
本実施形態においては、下枠１３にガラスユニット５が取り付けられた状態を例に説明したが、端部保護材７とシール材１６とは干渉することなく設けられていることは、上枠１２、右縦枠１５、縦骨１７にガラスユニット５が取り付けられた状態であっても同様である。
【００２９】
本実施形態の建具１によれば、ガラスユニット５の端部５ａが端部保護材７により保護されるので、たとえば、ガラスユニット５の端部５ａが欠けるような損傷が生じることを防止することが可能である。また、端部保護材７はシール材１６と間隔が隔てられているので、シール材１６と端部保護材７とが重なって、シール材１６とガラスユニット５との接触面積が小さくなったり、シール材１６が端部保護材７によりガラスユニット５の表面から浮き上がることはないので、良好な水密および気密状態を保つことが可能である。さらに、端部保護材７とシール材１６とが干渉しない構成としたので、端部保護材７およびシール材１６の形状は互いの制約を受けることはない。このため、端部保護材７およびシール材１６を汎用性の高い形状とすることが可能であり、コストを抑えることも可能である。
【００３０】
また、上記のようなＦＩＸ窓１０は、施工現場でのガラスユニット５の取り付け作業が余儀なくされるが、上記建具１によれば、端部保護材７を取り付けた状態でガラスユニット５を搬送することが可能なので、搬送時においてもガラスユニット５の端部５ａを保護することが可能である。また、現場に搬入された際には、端部保護材７が取り付けられているので、上枠１２、下枠１３、右縦枠１５、および、縦骨１７にそのまま取り付けることが可能であり、現場での作業が容易である。
【００３１】
また、本実施形態の建具１の端部保護材７は、ガラスユニット５の端部５ａに沿う形状をなす保護材本体７ｅにおける一対の側壁部７ｂの内側であって、ガラスユニット５の端部５ａと対向する位置に、保護材本体７ｅより軟質な当接部７ｄを備えている。このため、端部保護材７の軟質な部材にて構成された当接部７ｄをガラスユニット５に当接させることにより、端部保護材７を単独でガラスユニット５に取り付けることが可能である。そして、たとえば、端部保護材７をガラスユニット５に取り付けるために接着剤等を必要としないので、取り付けが容易である。また、接着材等を使用しないので水分によりガラスユニット５に対する保持力が低下することはなく、信頼性の高い建具１を実現することが可能である。
【００３２】
さらに、上記建具１にあっては、ガラスユニット５が取り付けられた際に、下側に配置される端部保護材７には、水抜き穴７ａが設けられているので、ガラスユニット５と端部保護材７との間に水等が発生しても水抜き穴７ａから排出することが可能である。
【００３３】
なお、本実施形態においては、ＦＩＸ窓１０にガラスユニット５が取り付けられた状態を例に説明したが、移動可能な障子３にガラスユニット５を取り付けても良く、さらに、扉やドア、間仕切り等の開口部にガラスユニット５を取り付けても良い。
【００３４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３５】
【図１】本実施形態に係る建具を室外側から見た外観図である。
【図２】ガラスユニットの外観図である。
【図３】下枠にガラスユニットが取り付けられた状態を示す図１のＡ−Ａ図である。
【図４】ガラスユニットの下側に設けられる端部保護材を説明するための図である。
【符号の説明】
【００３６】
１  建具、５  ガラスユニット、６  ガラス本体、６ａ  端部、
７  端部保護材、７ａ水抜き穴、７ｄ当接部、７ｅ保護材本体、７ｇ  突起部、
１０  ＦＩＸ窓、１１  枠体、１２  上枠、１３  下枠、１５  右縦枠、
１６  シール材、１７  縦骨、２０  押縁
【図１】
2008163610.tif 000003
【図２】
2008163610.tif 000004
【図３】
2008163610.tif 000005
【図４】
2008163610.tif 000006